(57)【要約】【課題】入金された金銭が変形金銭である場合に、金銭の交換にかかる手間の削減と時間の短縮を図る。【解決手段】正常金銭を収納する金銭収納部と、金銭収納部への搬送経路上の金銭の金種および変形の判断基準となるデータを取得するデータ取得部と、正常金銭が変形した変形金銭を変形金銭収納部に分別する分別部と、正常金銭の金種として識別できなかった異常金銭を排出するリジェクト部と、搬送経路上の金銭についてデータ取得部が取得したデータに基づき、正常金銭の金種を識別するとともに変形金銭を識別する金銭識別手段と、変形金銭収納部が変形金銭で満杯でない場合には分別部を制御して金銭識別手段により識別された変形金銭を変形金銭収納部へと送り込み、変形金銭収納部が変形金銭で満杯である場合にはリジェクト部を制御して金銭識別手段により識別された変形金銭を排出する分別手段と、を備える。【選択図】図６
2019071011.tif 000002
【特許請求の範囲】
【請求項１】
正常な金銭である正常金銭を収納する金銭収納部と、
前記金銭収納部への搬送経路に設けられ、前記搬送経路上の金銭の金種および変形の判断基準となるデータを取得するデータ取得部と、
正常金銭が変形した変形金銭を変形金銭収納部に分別する分別部と、
正常金銭の金種として識別できなかった異常金銭を排出するリジェクト部と、
前記搬送経路上の金銭について前記データ取得部が取得したデータに基づき、正常金銭の金種を識別するとともに変形金銭を識別する金銭識別手段と、
前記変形金銭収納部が変形金銭で満杯でない場合には前記分別部を制御して前記金銭識別手段により識別された変形金銭を前記変形金銭収納部へと送り込み、前記変形金銭収納部が変形金銭で満杯である場合には前記リジェクト部を制御して前記金銭識別手段により識別された変形金銭を排出する分別手段と、
を備えることを特徴とする金銭処理装置。
【請求項２】
前記分別手段により前記変形金銭収納部へと送り込まれた変形金銭分の金額を入金として扱うカウント手段を更に備える、
ことを特徴とする請求項１に記載の金銭処理装置。
【請求項３】
前記分別手段は、前記リジェクト部を制御して前記金銭識別手段により識別された変形金銭を排出する際に、変形金銭である旨を報知する、
ことを特徴とする請求項１または２に記載の金銭処理装置。
【請求項４】
前記変形金銭収納部は、変形金銭を取り出し可能な構造である、
ことを特徴とする請求項１ないし３の何れか一項に記載の金銭処理装置。
【請求項５】
前記変形金銭収納部へ送り込まれた変形金銭の金額および枚数を記憶する収納数記憶手段を備える、
ことを特徴とする請求項１ないし４の何れか一項に記載の金銭処理装置。
【請求項６】
正常な金銭である正常金銭を収納する金銭収納部と、前記金銭収納部への搬送経路に設けられ、前記搬送経路上の金銭の金種および変形の判断基準となるデータを取得するデータ取得部と、正常金銭が変形した変形金銭を変形金銭収納部に分別する分別部と、正常金銭の金種として識別できなかった異常金銭を排出するリジェクト部と、を備える金銭処理装置を制御するコンピュータを、
前記搬送経路上の金銭について前記データ取得部が取得したデータに基づき、正常金銭の金種を識別するとともに変形金銭を識別する金銭識別手段と、
前記変形金銭収納部が変形金銭で満杯でない場合には前記分別部を制御して前記金銭識別手段により識別された変形金銭を前記変形金銭収納部へと送り込み、前記変形金銭収納部が変形金銭で満杯である場合には前記リジェクト部を制御して前記金銭識別手段により識別された変形金銭を排出する分別手段と、
として機能させるためのプログラム。
【発明の詳細な説明】
【技術分野】
【０００１】
本発明の実施形態は、金銭処理装置およびプログラムに関する。
【背景技術】
【０００２】
近年、スーパーマーケット、百貨店、レストラン等の流通小売店舗においては、金銭処理装置が、ＰＯＳ（Point  Of  Sales）端末等の電子機器に接続して使用されている。金銭処理装置は、客から預かった硬貨または紙幣（以降、硬貨と紙幣を総称して「金銭」という）を入金して収納部に収納するとともに、電子機器からの払い出し指示に基づいて金銭を収納部から払い出す。
【０００３】
金銭処理装置は、入金された金銭を収納する過程で、金銭の金種、金銭の変形や損傷等を識別する。金銭処理装置は、入金された金銭が正常な正常金銭である場合、入金された金銭を収納部に収納する。一方、金銭処理装置は、入金された金銭が正常金銭であっても変形等が有る変形金銭、並びに入金された金銭が識別できない異常な異常金銭である場合（古い金銭、外国の金銭、ゲーム用金銭、偽造金銭等）、釣銭を払い出す受皿などへリジェクト（排出）する等の対応を採っている。
【０００４】
上述したように、従来の金銭処理装置は、入金された金銭が正常金銭であるにも拘らず変形等が有る変形金銭である場合にはリジェクトする等の対応を採っているため、客に金銭が変形等している旨を説明した上で、客が別の金銭に交換したり、オペレータが別管理している金銭に交換して入金したりする必要があった。このような作業は、客またはオペレータの手間が増えると同時に会計処理の遅延を招く、という問題がある。
【０００５】
なお、従来の金銭処理装置は、変形等が有る変形金銭を収納部に収納した場合、収納部から払い出す際に変形金銭によって詰まりを起こすリスクが大きい。
【発明の概要】
【発明が解決しようとする課題】
【０００６】
本発明が解決しようとする課題は、入金された金銭が変形等している変形金銭である場合に、金銭の交換にかかる手間の削減と時間の短縮化を図ることができ、また変形金銭の詰まりが発生するリスクを低減することができる金銭処理装置およびプログラムを提供することである。
【課題を解決するための手段】
【０００７】
実施形態の金銭処理装置は、正常な金銭である正常金銭を収納する金銭収納部と、前記金銭収納部への搬送経路に設けられ、前記搬送経路上の金銭の金種および変形の判断基準となるデータを取得するデータ取得部と、正常金銭が変形した変形金銭を変形金銭収納部に分別する分別部と、正常金銭の金種として識別できなかった異常金銭を排出するリジェクト部と、を備える。そして、実施形態の金銭処理装置は、前記搬送経路上の金銭について前記データ取得部が取得したデータに基づき、正常金銭の金種を識別するとともに変形金銭を識別する金銭識別手段と、前記変形金銭収納部が変形金銭で満杯でない場合には前記分別部を制御して前記金銭識別手段により識別された変形金銭を前記変形金銭収納部へと送り込み、前記変形金銭収納部が変形金銭で満杯である場合には前記リジェクト部を制御して前記金銭識別手段により識別された変形金銭を排出する分別手段と、を備える。
【図面の簡単な説明】
【０００８】
【図１】図１は、実施形態にかかる硬貨入出金装置の外観を示す斜視図である。
【図２】図２は、硬貨入出金装置の内部構造を示す平面図である。
【図３】図３は、分別部およびリジェクト部の構造を概略的に示す模式図である。
【図４】図４は、硬貨入出金装置の電気的接続を示すブロック図である。
【図５】図５は、硬貨入出金装置の機能構成を示す機能ブロック図である。
【図６】図６は、商品販売における硬貨入金処理の流れを示すフローチャートである。
【発明を実施するための形態】
【０００９】
以下、添付図面を参照して、金銭処理装置の実施形態を説明する。本実施形態は、スーパーマーケット等の店舗で使用されるＰＯＳ端末（不図示）に接続されて用いられる硬貨入出金装置を金銭処理装置の一例として適用したものである。
【００１０】
ここで、図１は実施形態にかかる硬貨入出金装置１の外観を示す斜視図、図２は硬貨入出金装置１の内部構造を示す平面図である。図１の硬貨入出金装置１は、オペレータにとっての手前側つまりオペレータが対向する側を手前に、オペレータにとっての奥側を奥にして示してある。以降、図面を用いた説明での上下、左右、手前、奥、正面等の表現は、オペレータが対面する面を正面としたときのものである。
【００１１】
硬貨入出金装置１は、硬貨Ｃ（図３参照）の入出金を行う入出金ユニット２と、この入出金ユニット２を引き出し可能に収容保持する筐体３と、各種メッセージを表示するための表示器４とを備えている。
【００１２】
図１および図２に示すように、入出金ユニット２は、硬貨受入部１１と、硬貨搬送部１２と、硬貨選別部１３と、硬貨収納部（金銭収納部）１４と、硬貨払出部１５と、を備えている。硬貨受入部１１は、硬貨入出金装置１の前部（正面側）に位置して硬貨Ｃを受け入れる。硬貨搬送部１２は、硬貨受入部１１によって受け入れた硬貨Ｃを硬貨入出金装置１の後部（奥側）へ向けて搬送する。硬貨選別部１３は、硬貨搬送部１２によって搬送された硬貨Ｃを金種別に選別する。硬貨収納部１４は、硬貨選別部１３によって選別された硬貨Ｃを金種別に収納する。硬貨払出部１５は、硬貨収納部１４に収納された硬貨Ｃを払い出す。
【００１３】
硬貨受入部１１は、硬貨投入口２１と、投入センサ２２と、投入ベルト２３と、投入モータ２４（図４参照）と、投入ローラ２５とを備えている。
【００１４】
硬貨投入口２１は、上方に開口しており、複数枚の硬貨Ｃのまとまった投入を許容する。投入センサ２２は、硬貨投入口２１から投入された硬貨Ｃを光電的に検出する。投入センサ２２は、複数組設けられている。
【００１５】
投入ベルト２３は、硬貨受入部１１の底部を形成する。投入ベルト２３は、投入モータ２４の駆動により回転して、投入された硬貨Ｃを硬貨入出金装置１の内部へと搬送する。投入ローラ２５は、投入ベルト２３上に当該投入ベルト２３と所定間隔をあけて対向する。投入ローラ２５は、投入ベルト２３と同方向に回転することにより、投入ベルト２３によって搬送される硬貨Ｃを１枚ずつ分離して送り出す。
【００１６】
硬貨搬送部１２は、搬送ベース２６と、搬送ベルト２７と、搬送モータ２８（図４参照）と、データ取得部２９と、分別部３０と、リジェクト部３１とを備えている。
【００１７】
搬送ベース２６は、硬貨Ｃの硬貨収納部１４への搬送経路を構成する。搬送ベース２６は、投入ベルト２３の硬貨搬送方向下流側で投入ベルト２３によって搬送された硬貨Ｃを受ける位置から、奥へと延出して設けられている。
【００１８】
搬送ベルト２７は、搬送モータ２８の駆動により回転することにより、硬貨Ｃを搬送する。硬貨Ｃは、搬送ベルト２７の回転に伴って搬送されて、硬貨選別部１３へ到る。
【００１９】
データ取得部２９は、搬送ベース２６に設けられている。データ取得部２９は、硬貨Ｃの材質を識別するセンサ（不図示）や直径を識別するセンサ（不図示）を備え、材質や直径から硬貨Ｃの金種を判別する。これらのセンサは、磁気センサであり、コイルと、このコイルに接続された発振回路と、この発振回路に接続された整流回路とを有している。
【００２０】
また、データ取得部２９は、孔の有無や厚さ、反射率、凹凸形状等を識別するセンサを備えている。
【００２１】
このようなデータ取得部２９において、コイルに硬貨Ｃが接近すると、コイルのインピーダンスが変化し、これに伴い発振回路の発振レベルが変化する。整流回路は、発振回路の出力波形をデジタル信号に対応する波形に整流して、後述の制御部８０（図４参照）に出力する。
【００２２】
発振レベルの変化量は、材質センサでは硬貨Ｃの材質、直径センサでは硬貨Ｃの直径によって、異なるように設定されている。また、硬貨Ｃの孔の有無や厚さ、反射率、凹凸形状等を識別するセンサにおける発振レベルの変化量は、硬貨Ｃの孔の有無や、硬貨Ｃの厚さ、硬貨Ｃの反射率、硬貨Ｃの凹凸形状によって、異なるように設定する。
【００２３】
分別部３０およびリジェクト部３１については、後述する。
【００２４】
硬貨選別部１３は、選別ベース４１と、選別ベルト４２と、選別モータ４３（図４参照）とを備えている。選別ベース４１には、硬貨搬送方向下流に向かうに従い孔幅寸法が順次拡大する金種毎の選別孔４１ａが形成されている。
【００２５】
硬貨収納部１４は、選別孔４１ａから落下する硬貨Ｃを受ける位置に配置されている。硬貨収納部１４は、仕切板５１によって仕切られた金種別の収納室５２と、計数センサ５３とを備えている。収納室５２は、対応する選別孔４１ａに連通しており、選別孔４１ａから落下した硬貨Ｃを金種別に収納する。計数センサ５３は、収納室５２に落下する硬貨Ｃの個数を数える。
【００２６】
硬貨払出部１５は、払出ベルト６１と、払出モータ６２（図４参照）と、払出口６３と、受皿６４とを備えている。払出ベルト６１は、払出モータ６２によって駆動されて回転することによって、硬貨収納部１４の奥側から手前側へ向かって硬貨Ｃを搬送する。
【００２７】
払出口６３は、払出ベルト６１によって搬送されてきた硬貨Ｃを払い出す口である。受皿６４は、払出口６３から払い出された硬貨Ｃを受け止める。
【００２８】
次に、分別部３０およびリジェクト部３１について説明する。図３は、分別部３０およびリジェクト部３１の構造を概略的に示す模式図である。
【００２９】
分別部３０は、分別シャッタ７１と、分別ソレノイド７２（図４参照）と、引出ボックス７３（変形金銭収納部）とを備えている。
【００３０】
分別シャッタ７１は、分別孔２６ａを開閉する。分別孔２６ａは、搬送ベース２６の硬貨搬送方向下流側に形成された孔であって、最大径の硬貨Ｃが落下しうる大きさに形成されている。分別ソレノイド７２は、分別シャッタ７１を開閉駆動させる。
【００３１】
引出ボックス７３は、分別孔２６ａから落下した硬貨Ｃを受けて収納する。引出ボックス７３は、図１に示すように、筐体３の正面から手前に引き出し可能に設けられている。引出ボックス７３は、満杯センサ７７（図４参照）を備えている。満杯センサ７７は、例えば透過センサである。満杯センサ７７は、引出ボックス７３の最上部にまで硬貨Ｃが達した場合、これを検知する。
【００３２】
なお、本実施形態においては、変形金銭収納部として引出ボックス７３を適用したが、これに限るものではなく、店舗での精算時に取り出しが可能な構造となっていればよい。例えば、硬貨入出金装置１の筐体３の側面が開いて箱形状の変形金銭収納部が取り出せるものでも良いし、筐体３の側面が開いて硬貨が直接取り出せるものであっても良い。また、例えば、変形金銭収納部は、袋形状のものでも良い。
【００３３】
リジェクト部３１は、リジェクトシャッタ７４と、リジェクトソレノイド７５（図４参照）と、スライダ７６とを備えている。
【００３４】
リジェクトシャッタ７４は、リジェクト孔２６ｂを開閉する。リジェクト孔２６ｂは、搬送ベース２６の硬貨搬送方向下流側に形成された孔であって、最大径の硬貨Ｃが落下しうる大きさに形成されている。リジェクトソレノイド７５は、リジェクトシャッタ７４を開閉駆動させる。
【００３５】
スライダ７６は、断面がＶ字型の樋状の部材である。スライダ７６は、一端をリジェクト孔２６ｂの下に位置させ、他端を受皿６４に連通させている。スライダ７６は、リジェクト孔２６ｂ側が高く、受皿６４側が低くなるよう、傾斜させて設けられている。このようなスライダ７６により、リジェクト孔２６ｂから落下した硬貨Ｃは、受皿６４まで運ばれる。
【００３６】
次に、硬貨入出金装置１のハードウェアの電気的接続について説明する。図４は、硬貨入出金装置１の電気的接続を示すブロック図である。硬貨入出金装置１は、制御部８０および記憶部９０を備えている。
【００３７】
制御部８０は、ＣＰＵ（Central  Processing  Unit）、ＲＯＭ（Read  Only  Memory）、ＲＡＭ（Random  Access  Memory）、Ｉ／Ｏ機器制御部、および通信Ｉ／Ｆ（いずれも不図示）等から構成される。ＲＯＭは、ＣＰＵが実行する各種プログラムや各種データを記憶する。ＲＡＭは、ＣＰＵが各種プログラムを実行する際に一時的にデータやプログラムを記憶するものであって、例えば、入金額を記憶するための入金カウンタを記憶している。
【００３８】
制御部８０は、投入モータ２４と、搬送モータ２８と、選別モータ４３と、払出モータ６２と、投入センサ２２と、計数センサ５３と、データ取得部２９と、リジェクトソレノイド７５と、分別ソレノイド７２と、記憶部９０と、表示器４と、満杯センサ７７とをそれぞれ接続している。
【００３９】
制御部８０は、上記プログラムに従って、硬貨入出金装置１の各部を制御する。また、制御部８０は、ＰＯＳ端末に直接あるいは間接的に接続されて、ＰＯＳ端末からの払い出し指示等を受信する。
【００４０】
記憶部９０は、フラッシュメモリやＨＤＤ等により構成されて情報を書き換え可能に記憶する。記憶部９０は、例えば、ＣＰＵが実行する各種プログラム、上述のデータ取得部２９の整流回路の出力値との比較に用いる第一の閾値および第二の閾値や、後述のログファイル等を記憶している。
【００４１】
本実施形態の硬貨入出金装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４２】
さらに、本実施形態の硬貨入出金装置１で実行されるプログラムを、インターネット等のネットワークに接続されたコンピュータ上に格納し、ネットワーク経由でダウンロードさせることにより提供するように構成しても良い。また、本実施形態の硬貨入出金装置１で実行されるプログラムをインターネット等のネットワーク経由で提供または配布するように構成しても良い。
【００４３】
次に、硬貨入出金装置１の制御部８０が発揮する機能の内、特徴的な機能について説明する。
【００４４】
ここで、図５は硬貨入出金装置１の機能構成を示す機能ブロック図である。制御部８０は、ＲＯＭや記憶部９０に記憶されたプログラムに従うことで、分別手段８１、カウント手段８２、収納数記憶手段８３、金銭識別手段８４、として機能する。
【００４５】
金銭識別手段８４は、搬送経路上の硬貨Ｃについてデータ取得部２９が取得したデータに基づき、硬貨Ｃが正常金銭である場合の金種を識別するとともに硬貨Ｃが正常金銭であって変形した変形金銭であるかを識別する。より詳細には、金銭識別手段８４は、データ取得部２９の整流回路の出力値と上述の第一の閾値および第二の閾値とを比較して、硬貨Ｃが正常硬貨（正常金銭）であるか、正常硬貨であるが変形、損傷、汚れなどが生じている変形硬貨（変形した正常金銭）であるか、古い硬貨、外国の硬貨、ゲーム用硬貨、偽造の疑いがある硬貨などによりデータ取得部２９で金種を識別できなかった異常硬貨（金種を識別できなかった異常金銭）であるか識別する。第一の閾値は異常硬貨判断用の値であり、第二の閾値は正常硬貨判断用の値であって、整流回路の出力値が第一の閾値と第二の閾値との間であるとき、制御部８０は、硬貨Ｃを正常硬貨が変形等している変形硬貨と識別する。
【００４６】
分別手段８１は、引出ボックス７３が変形金銭で満杯でない場合には分別部３０を制御して金銭識別手段８４により識別された変形金銭を引出ボックス７３へと送り込み、引出ボックス７３が変形金銭で満杯である場合にはリジェクト部３１を制御して金銭識別手段８４により識別された変形金銭を排出する。
【００４７】
カウント手段８２は、正常硬貨および変形硬貨とした硬貨Ｃの金額分を入金として扱ってＲＡＭの入金カウンタに加算する。カウント手段８２は、異常硬貨とした硬貨Ｃについては入金として扱わない。
【００４８】
収納数記憶手段８３は、記憶部９０に設けたログファイルに、引出ボックス７３に収納した変形硬貨の金種と枚数を加算する。なお、収納数記憶手段８３は、記憶部９０に設けたログファイルに、硬貨収納部１４に収納されている正常硬貨の枚数も金種別に記憶する。
【００４９】
次に、商品販売における入金の際の硬貨入出金装置１の動作について説明する。
【００５０】
ここで、図６は商品販売における硬貨入金処理の流れを示すフローチャートである。図６に示すように、オペレータが硬貨Ｃを硬貨投入口２１へ投入すると、制御部８０は、硬貨Ｃを搬送する搬送処理を実行する（ステップＳ１）。より詳細には、制御部８０は、投入センサ２２からの信号を受信することにより硬貨Ｃが硬貨投入口２１へ投入されたことを認識する。制御部８０は、硬貨Ｃの投入を認識すると、投入モータ２４により投入ベルト２３を回転駆動させ、さらに搬送モータ２８に搬送ベルト２７を回転駆動させる。
【００５１】
次いで、制御部８０（分別手段８１）は、搬送ベース２６上を搬送される硬貨Ｃがデータ取得部２９上を通過する際、データ取得部２９から受信した信号と記憶部９０に記憶された第一の閾値および第二の閾値とに基づいて、硬貨Ｃが正常硬貨、異常硬貨または変形硬貨のいずれであるかを識別する識別処理を実行する（ステップＳ２）。
【００５２】
制御部８０（分別手段８１）は、硬貨Ｃが異常硬貨でなく（ステップＳ３のＮｏ）、且つ正常硬貨であれば（ステップＳ４のＹｅｓ）、硬貨Ｃが正常硬貨であると判断して、硬貨Ｃを硬貨収納部１４へ搬送し（ステップＳ５）、本処理を終了する。
【００５３】
一方、制御部８０（分別手段８１）は、硬貨Ｃが異常硬貨であると判断した場合（ステップＳ３のＹｅｓ）、リジェクトシャッタ７４を開放して（ステップＳ６）、硬貨Ｃを受皿６４へリジェクト（排出）し、本処理を終了する。
【００５４】
また、制御部８０（分別手段８１）は、硬貨Ｃは硬貨種別が識別できる正常硬貨であるが変形等している変形硬貨であると判断すると（ステップＳ４のＮｏ）、満杯センサ７７からの信号に基づいて引出ボックス７３が変形硬貨で満杯になっているかを判断する（ステップＳ７）。
【００５５】
制御部８０（分別手段８１）は、引出ボックス７３が変形硬貨で満杯になっていないと判断すると（ステップＳ７のＮｏ）、分別シャッタ７１を開放して（ステップＳ８）、硬貨Ｃを引出ボックス７３に収納する。
【００５６】
そして、制御部８０（カウント手段８２）は、硬貨Ｃの金額分を入金として入金カウンタに加算する（ステップＳ９）。
【００５７】
また、制御部８０（収納数記憶手段８３）は、ログファイルに変形硬貨の金種と枚数とを加算し（ステップＳ１０）、本処理を終了する。
【００５８】
このように、実施形態の硬貨入出金装置１によれば、正常硬貨と変形硬貨と異常硬貨とを区別して取り扱うことができる。また、本実施形態の硬貨入出金装置１によれば、変形硬貨分の金額を入金として扱うとともに変形硬貨を正常硬貨と分けて収納することで、変形硬貨を循環させることを防止することができるとともに、店舗での精算時に取り出しが可能となっている。これにより、変形等していても金種が識別できる程度である正常硬貨による入金を自動化してオペレータの手間を削減しつつ、変形した正常硬貨が釣銭として払い出されて客に不愉快な思いをさせるおそれをなくすことができる。さらに、実施形態の硬貨入出金装置１によれば、変形した正常硬貨を硬貨収納部１４へ搬送することはないので、出金時に詰まってしまう可能性を低減させることができる。
【００５９】
一方、制御部８０（分別手段８１）は、引出ボックス７３が変形硬貨で満杯になっていると判断すると（ステップＳ７のＹｅｓ）、変形硬貨である旨を報知して（ステップＳ１１）、リジェクトシャッタ７４を開放して（ステップＳ６）、硬貨Ｃを受皿６４へリジェクト（排出）し、本処理を終了する。
【００６０】
なお、制御部８０（分別手段８１）は、変形硬貨である旨の報知を、硬貨入出金装置１の表示器４へのメッセージ表示、またはＰＯＳ端末へのメッセージ送信により行う。
【００６１】
すなわち、引出ボックス７３が変形硬貨で満杯になってしまった場合には、客に硬貨Ｃが変形等している旨を説明した上で、客が別の硬貨に交換したり、オペレータが別管理している硬貨に交換して入金したりする必要がある。そして、硬貨入出金装置１は、引出ボックス７３が変形硬貨で満杯になっている場合には、変形硬貨分の金額を入金として扱うことはできない。
【００６２】
このように、実施形態の硬貨入出金装置１によれば、入金された硬貨が変形等している変形硬貨である場合に、硬貨の交換にかかる手間の削減と時間の短縮化を図ることができ、また変形等した変形硬貨の詰まりが発生するリスクを低減することができる。
【００６３】
また、実施形態の硬貨入出金装置１によれば、制御部８０（分別手段８１）で硬貨として判定できるが汚れ・変形などのために釣銭としては使用できない変形硬貨で引出ボックス７３が満杯になっている場合、変形硬貨は受皿６４へリジェクト（排出）される。このため、オペレータは、引出ボックス７３内の変形硬貨の回収のために会計処理を止める必要はなく、会計処理を続けることができる。
【００６４】
なお、本実施形態では、変形硬貨を単一の変形金銭収納部（引出ボックス７３）に収納したが、実施にあたっては、金種数分の金種別収納庫を組み合わせて変形金銭収納部を構成し、各金種別収納庫に１つの金種の変形硬貨を収納するようにして、変形硬貨を金種毎に分けて収納するようにしてもよい。
【００６５】
また、本実施形態では、硬貨（金銭）を入出金する硬貨入出金装置１を金銭処理装置として説明したが、これに限らず、紙幣（金銭）を入出金する紙幣入出金装置を金銭処理装置としてもよい。
【００６６】
また、本実施形態では、ＰＯＳ端末と接続されて用いる硬貨入出金装置１を金銭処理装置に適用した例について説明したが、実施形態はこれに限定されるものではない。例えば、本実施形態の金銭処理装置として、ＡＴＭ（Automated  Teller  Machine）に内蔵される入出金装置を用いてもよい。また、入金、出金のいずれか一方を行う金銭処理装置に上記構成を適用してもよい。
【００６７】
なお、硬貨入出金装置１およびＰＯＳ端末の機能構成を備えた１台構成の装置を、金銭処理装置に適用してもよい。具体的には、スーパーマーケットやコンビニエンスストア等の店舗で用いられるセルフチェックアウト装置である。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１        金銭処理装置
１４      金銭収納部
２９      データ取得部
３０      分別部
３１      リジェクト部
８１      分別手段
８２      カウント手段
８３      収納数記憶手段
８４      金銭識別手段
【先行技術文献】
【特許文献】
【００７０】
【特許文献１】特開２０１６−１４６０６７号公報
【図１】
2019071011.tif 000003
【図２】
2019071011.tif 000004
【図３】
2019071011.tif 000005
【図４】
2019071011.tif 000006
【図５】
2019071011.tif 000007
【図６】
2019071011.tif 000008